(57)【要約】【課題】第３者が特定エリアに位置し、かつ特定の要件を満たす顧客から情報提供を受ることができない。【解決手段】サービス提供機関３０のデータベース３１に、情報提供者１０は基地局２０の交換局２２を経てインターネット５０を介して、情報提供者の情報を登録し、依頼機関４０は、サービス提供機関に、情報提供者の属性、エリア及び情報提供内容を指定した情報提供要求を行い、配信サーバ３２は、情報提供内容を付加した情報提供要求を基地局に送り、情報提供内容を付加した情報提供要求を位置情報サーバ２１が位置情報と電話番号の一致する情報提供者のＧＰＳ機能付き携帯電話１１に情報提供要求を配信し、ＧＰＳ機能付き携帯電話により、位置情報を付与し、かつ依頼された情報提供内容を、サービス提供機関に配信し、サービス提供機関は、情報提供者より送信された情報を依頼機関に提供する。【選択図】　　　図１
2004064264.tif 000002
【特許請求の範囲】
【請求項１】
携帯電話の位置情報を利用し、特定エリアに位置する特定の要件を満たす情報提供者に情報提供を依頼し、情報提供者はＧＰＳ機能付きの携帯電話より位置情報を付与した情報を送信することを特徴とする位置情報を利用し特定エリアの情報を提供するシステム。
【請求項２】
携帯電話の位置情報を利用し、特定エリアに位置する特定の要件を満たす情報提供者に情報提供を依頼し、情報提供者はＧＰＳ機能付きの携帯電話より位置情報を付与した情報を送信することを特徴とする位置情報を利用し特定エリアの情報を提供する方法。
【請求項３】
携帯電話の位置情報を利用し、特定エリアに位置する特定の要件を満たす情報提供者に情報提供を依頼し、情報提供者はＧＰＳ機能付きの携帯電話より位置情報を付与した情報を送信する処理をコンピュータに実行させるためのプログラム。
【請求項４】
情報提供を依頼する依頼機関が情報提供者を管理するサービス提供機関に対し、特定エリアにおける情報提供サービスを依頼することにより、サービス提供機関に登録されている情報提供者の属性から特定の要件を満たす情報提供者を抽出し、ＧＰＳ機能付き携帯電話の位置情報により、依頼機関の要件を満たす特定の情報提供者に情報提供を依頼し、情報提供の依頼を受信した情報提供者がＧＰＳ機能付き携帯を利用した位置情報を付与した情報を提供することにより、サービス提供機関は依頼機関に対し、位置に基づく情報を提供することを特徴とする位置情報を利用し特定エリアの情報を提供するシステム。
【請求項５】
情報提供を依頼する依頼機関が情報提供者を管理するサービス提供機関に対し、特定エリアにおける情報提供サービスを依頼することにより、サービス提供機関に登録されている情報提供者の属性から特定の要件を満たす情報提供者を抽出し、ＧＰＳ機能付き携帯電話の位置情報により、依頼機関の要件を満たす特定の情報提供者に情報提供を依頼し、情報提供の依頼を受信した情報提供者がＧＰＳ機能付き携帯を利用した位置情報を付与した情報を提供することにより、サービス提供機関は依頼機関に対し、位置に基づく情報を提供することを特徴とする位置情報を利用し特定エリアの情報を提供する方法。
【請求項６】
情報提供を依頼する依頼機関が情報提供者を管理するサービス提供機関に対し、特定エリアにおける情報提供サービスを依頼することにより、サービス提供機関に登録されている情報提供者の属性から特定の要件を満たす情報提供者を抽出し、ＧＰＳ機能付き携帯電話の位置情報により、依頼機関の要件を満たす特定の情報提供者に情報提供を依頼し、情報提供の依頼を受信した情報提供者がＧＰＳ機能付き携帯を利用した位置情報を付与した情報を提供することにより、サービス提供機関は依頼機関に対し、位置に基づく情報を提供することを特徴とする位置情報を利用し特定エリアの情報を提供する処理をコンピュータに実行させるためのプログラム。
【請求項７】
依頼機関は特定の位置および属性により情報提供者に情報提供を依頼し、サービス提供機関は、情報提供者を管理するデータベースに情報提供者の属性情報を予め登録し、依頼機関からの要求を満たす情報提供者を抽出し、ＧＰＳ機能付き携帯電話の位置情報により、依頼機関が要求したエリアに存在する情報提供者を抽出し、前記２つの要求を満たし抽出された情報提供者に対し、依頼機関が指定する情報提供の依頼を情報提供者のＧＰＳ機能付き携帯電話に配信し、情報提供者がＧＰＳ機能付きＧＰＳ機能付き携帯電話により、情報提供者が存在する位置情報を付与した情報をサービス提供機関に提供し、依頼機関がサービス提供機関から提供された情報を取得することを特徴とする位置情報を利用し特定エリアの情報を提供するシステム。
【請求項８】
依頼機関は特定の位置および属性により情報提供者に情報提供を依頼し、サービス提供機関は、情報提供者を管理するデータベースに情報提供者の属性情報を予め登録し、依頼機関からの要求を満たす情報提供者を抽出し、ＧＰＳ機能付き携帯電話の位置情報により、依頼機関が要求したエリアに存在する情報提供者を抽出し、前記２つの要求を満たし抽出された情報提供者に対し、依頼機関が指定する情報提供の依頼を情報提供者のＧＰＳ機能付き携帯電話に配信し、情報提供者がＧＰＳ機能付きＧＰＳ機能付き携帯電話により、情報提供者が存在する位置情報を付与した情報をサービス提供機関に提供し、依頼機関がサービス提供機関から提供された情報を取得することを特徴とする位置情報を利用し特定エリアの情報を提供する方法。
【請求項９】
依頼機関は特定の位置および属性により情報提供者に情報提供を依頼し、サービス提供機関は、情報提供者を管理するデータベースに情報提供者の属性情報を予め登録し、依頼機関からの要求を満たす情報提供者を抽出し、ＧＰＳ機能付き携帯電話の位置情報により、依頼機関が要求したエリアに存在する情報提供者を抽出し、前記２つの要求を満たし抽出された情報提供者に対し、依頼機関が指定する情報提供の依頼を情報提供者のＧＰＳ機能付き携帯電話に配信し、情報提供者がＧＰＳ機能付きＧＰＳ機能付き携帯電話により、情報提供者が存在する位置情報を付与した情報をサービス提供機関に提供し、依頼機関がサービス提供機関から提供された情報を取得する処理をコンピュータに実行させるためのプログラム。
【請求項１０】
サービス提供機関の管理するデータベースに、情報提供者は、基地局を経てインターネットを介して、情報提供者情報を登録し、依頼機関は、インターネットを介して、サービス提供機関に、情報提供者の属性、エリア及び情報提供内容を指定した情報提供要求を行い、サービス提供機関の配信サーバは、依頼機関からの情報提供要求に対し、位置情報およびデータベースより、指定された条件を満たす情報提供者に対し情報提供要求を配信するために、インターネットを介し基地局に、情報提供内容を付加した情報提供要求を送り、基地局の位置情報サーバが位置情報と情報提供者の電話番号の一致する情報提供者のＧＰＳ機能付き携帯電話に情報提供要求を配信し、情報提供者は、サービス提供機関からの情報提供要求に対し、ＧＰＳ機能付き携帯電話の機能により、位置情報を付与し、依頼された情報提供内容を、基地局を経てインターネットを介して、サービス提供機関に配信し、サービス提供機関は、インターネットを介して、情報提供者より送信された情報を依頼機関に提供することを特徴とする位置情報を利用し特定エリアの情報を提供するシステム。
【請求項１１】
サービス提供機関の管理するデータベースに、情報提供者は、基地局を経てインターネットを介して、情報提供者情報を登録し、依頼機関は、インターネットを介して、サービス提供機関に、情報提供者の属性、エリア及び情報提供内容を指定した情報提供要求を行い、サービス提供機関の配信サーバは、依頼機関からの情報提供要求に対し、位置情報およびデータベースより、指定された条件を満たす情報提供者に対し情報提供要求を配信するために、インターネットを介し基地局に、情報提供内容を付加した情報提供要求を送り、基地局の位置情報サーバが位置情報と情報提供者の電話番号の一致する情報提供者のＧＰＳ機能付き携帯電話に情報提供要求を配信し、情報提供者は、サービス提供機関からの情報提供要求に対し、ＧＰＳ機能付き携帯電話の機能により、位置情報を付与し、依頼された情報提供内容を、基地局を経てインターネットを介して、サービス提供機関に配信し、サービス提供機関は、インターネットを介して、情報提供者より送信された情報を依頼機関に提供することを特徴とする位置情報を利用し特定エリアの情報を提供する方法。
【請求項１２】
サービス提供機関の管理するデータベースに、情報提供者は、基地局を経てインターネットを介して、情報提供者情報を登録し、依頼機関は、インターネットを介して、サービス提供機関に、情報提供者の属性、エリア及び情報提供内容を指定した情報提供要求を行い、サービス提供機関の配信サーバは、依頼機関からの情報提供要求に対し、位置情報およびデータベースより、指定された条件を満たす情報提供者に対し情報提供要求を配信するために、インターネットを介し基地局に、情報提供内容を付加した情報提供要求を送り、基地局の位置情報サーバが位置情報と情報提供者の電話番号の一致する情報提供者のＧＰＳ機能付き携帯電話に情報提供要求を配信し、情報提供者は、サービス提供機関からの情報提供要求に対し、ＧＰＳ機能付き携帯電話の機能により、位置情報を付与し、依頼された情報提供内容を、基地局を経てインターネットを介して、サービス提供機関に配信し、サービス提供機関は、インターネットを介して、情報提供者より送信された情報を依頼機関に提供する処理をコンピュータに実行させるためのプログラム。
【請求項１３】
サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバよりインターネットを通じて基地局の交換局に送信し、基地局では、これを受信後、位置情報サーバが位置情報と情報提供者の電話番号の一致する情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をデータベースに格納し、依頼機関は、サービス提供機関の情報サービスサイトより送信された情報を入手することを特徴とする位置情報を利用し特定エリアの情報を提供するシステム。
【請求項１４】
サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバよりインターネットを通じて基地局の交換局に送信し、基地局では、これを受信後、位置情報サーバが位置情報と情報提供者の電話番号の一致する情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をデータベースに格納し、依頼機関は、サービス提供機関の情報サービスサイトより送信された情報を入手することを特徴とする位置情報を利用し特定エリアの情報を提供する方法。
【請求項１５】
サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバよりインターネットを通じて基地局の交換局に送信し、基地局では、これを受信後、位置情報サーバが位置情報と情報提供者の電話番号の一致する情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をデータベースに格納し、依頼機関は、サービス提供機関の情報サービスサイトより送信された情報を入手する処理をコンピュータに実行させるためのプログラム。
【請求項１６】
サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバよりインターネットを通じて基地局の交換局に送信し、基地局では、これを受信後、位置情報サーバが位置情報と情報提供者の電話番号の一致する情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をサービス提供機関内で収集したデータを加工し、統計的に分析した情報をデータベースに格納し、依頼機関は、サービス提供機関の情報サービスサイトより統計的に分析された情報を入手することを特徴とする位置情報を利用し特定エリアの情報を提供するシステム。
【請求項１７】
サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバよりインターネットを通じて基地局の交換局に送信し、基地局では、これを受信後、位置情報サーバが位置情報と情報提供者の電話番号の一致する情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をサービス提供機関内で収集したデータを加工し、統計的に分析した情報をデータベースに格納し、依頼機関は、サービス提供機関の情報サービスサイトより統計的に分析された情報を入手することを特徴とする位置情報を利用し特定エリアの情報を提供する方法。
【請求項１８】
サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバよりインターネットを通じて基地局の交換局に送信し、基地局では、これを受信後、位置情報サーバが位置情報と情報提供者の電話番号の一致する情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をサービス提供機関内で収集したデータを加工し、統計的に分析した情報をデータベースに格納し、依頼機関は、サービス提供機関の情報サービスサイトより統計的に分析された情報を入手する処理をコンピュータに実行させるためのプログラム。
【請求項１９】
サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をデータベースに格納し、依頼機関は、サービス提供機関の情報サービスサイトより送信された情報を入手することを特徴とする位置情報を利用し特定エリアの情報を提供するシステム。
【請求項２０】
サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をデータベースに格納し、依頼機関は、サービス提供機関の情報サービスサイトより送信された情報を入手することを特徴とする位置情報を利用し特定エリアの情報を提供する方法。
【請求項２１】
サービス提供機関は、電子メールで、情報提供者を募集し、情報提供者は、サービス提供機関の指定する方法により、電子メール、で、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をデータベースに格納し、依頼機関は、サービス提供機関の情報サービスサイトより送信された情報を入手する処理をコンピュータに実行させるためのプログラム。
【請求項２２】
サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をサービス提供機関内で収集したデータを加工し、統計的に分析した情報をデータベースに格納し、依頼機関は、サービス提供機関の情報サービスサイトより統計的に分析された情報を入手することを特徴とする位置情報を利用し特定エリアの情報を提供するシステム。
【請求項２３】
サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をサービス提供機関内で収集したデータを加工し、統計的に分析した情報をデータベースに格納し、依頼機関は、サービス提供機関の情報サービスサイトより統計的に分析された情報を入手することを特徴とする位置情報を利用し特定エリアの情報を提供する方法。
【請求項２４】
サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をサービス提供機関内で収集したデータを加工し、統計的に分析した情報をデータベースに格納し、依頼機関は、サービス提供機関の情報サービスサイトより統計的に分析された情報を入手する処理をコンピュータに実行させるためのプログラム。
【請求項２５】
サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をデータベースに格納し、依頼機関は、サービス提供機関の情報サービスサイトより送信された情報を入手することを特徴とする位置情報を利用し特定エリアの情報を提供するシステム。
【請求項２６】
サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をデータベースに格納し、依頼機関は、サービス提供機関の情報サービスサイトより送信された情報を入手することを特徴とする位置情報を利用し特定エリアの情報を提供する方法。
【請求項２７】
サービス提供機関は、電子メールで、情報提供者を募集し、情報提供者は、サービス提供機関の指定する方法により、電子メール、で、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をデータベースに格納し、依頼機関は、サービス提供機関の情報サービスサイトより送信された情報を入手する処理をコンピュータに実行させるためのプログラム。
【請求項２８】
サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をサービス提供機関内で収集したデータを加工し、統計的に分析した情報をデータベースに格納し、依頼機関は、サービス提供機関の情報サービスサイトより統計的に分析された情報を入手することを特徴とする位置情報を利用し特定エリアの情報を提供するシステム。
【請求項２９】
サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をサービス提供機関内で収集したデータを加工し、統計的に分析した情報をデータベースに格納し、依頼機関は、サービス提供機関の情報サービスサイトより統計的に分析された情報を入手することを特徴とする位置情報を利用し特定エリアの情報を提供する方法。
【請求項３０】
サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をサービス提供機関内で収集したデータを加工し、統計的に分析した情報をデータベースに格納し、依頼機関は、サービス提供機関の情報サービスサイトより統計的に分析された情報を入手する処理をコンピュータに実行させるためのプログラム。
【請求項３１】
サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をデータベースに格納し、依頼機関は、サービス提供機関の情報サービスサイトより送信された情報を入手することを特徴とする位置情報を利用し特定エリアの情報を提供するシステム。
【請求項３２】
サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をデータベースに格納し、依頼機関は、サービス提供機関の情報サービスサイトより送信された情報を入手することを特徴とする位置情報を利用し特定エリアの情報を提供する方法。
【請求項３３】
サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をデータベースに格納し、依頼機関は、サービス提供機関の情報サービスサイトより送信された情報を入手する処理をコンピュータに実行させるためのプログラム。
【請求項３４】
サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をサービス提供機関内で収集したデータを加工し、統計的に分析した情報をデータベースに格納し、依頼機関は、サービス提供機関の情報サービスサイトより統計的に分析された情報を入手することを特徴とする位置情報を利用し特定エリアの情報を提供するシステム。
【請求項３５】
サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をサービス提供機関内で収集したデータを加工し、統計的に分析した情報をデータベースに格納し、依頼機関は、サービス提供機関の情報サービスサイトより統計的に分析された情報を入手することを特徴とする位置情報を利用し特定エリアの情報を提供する方法。
【請求項３６】
サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をサービス提供機関内で収集したデータを加工し、統計的に分析した情報をデータベースに格納し、依頼機関は、サービス提供機関の情報サービスサイトより統計的に分析された情報を入手する処理をコンピュータに実行させるためのプログラム。
【発明の詳細な説明】
【０００１】
【発明の属する技術分野】
本発明は位置情報を利用し特定エリアの情報を提供するシステムと方法に関し、特に携帯電話の位置情報を利用し特定エリアに存在する特定の要件を満たす情報提供者に情報提供を依頼するとともに、情報提供者はＧＰＳ機能付きの携帯電話を用いて、正確な位置情報とともに情報を提供する位置情報を利用し特定エリアの情報を提供するシステムと方法に関する。
【０００２】
【従来の技術】
従来の位置情報を利用し特定エリアの情報を提供するシステムとして、特開２００２−０７３６５４号公報の地点情報提供システムがある。
【０００３】
これは、移動体通信端末の保持者に対して、その移動体通信端末（保持者）の現在地点に即した地点情報を通信ネットワークを通じて提供することができる地点情報提供システムの提供を行うもので、通信ネットワークを利用した情報提供サービスであって、ＧＰＳを内蔵させた移動体通信端末を用い、顧客の移動体通信端末とサービス運営者のサーバとが通信網を通じて接続され、顧客側からの入力情報として、顧客によって選択された検索内容とそれに加えて顧客の移動体通信端末の現在地点を示す緯度、経度情報とをサービス運営者のサーバに入力するようにし、サービス運営者のサーバでは、前記顧客による検索内容と顧客の現在地点との２つの条件で検索を行い、顧客の現在地点に関係の深い情報を回答内容として抽出し、これを出力して顧客に提供するようにしたものである。
【０００４】
近年、インターネット等の通信網の発達に伴って、種々の情報が容易に手に入るようになってきている。携帯電話やＰＨＳ等の移動体通信端末を利用した情報の入手も益々盛んになってきている。前記移動体通信端末を用いることによって、端末保持者はその場に居ながらにして他人と電話をしたり、またインターネットを通じて種々の情報を得ることができる。
【０００５】
ところが上記移動体通信端末においては、その端末を用いることにより、どこに居ても通信ネットワークを介して電話したり、情報を得たりすることができる一方、その移動体通信端末の保持者の現在位置についてはむしろ意識の外に置かれ、その端末保持者の現在位置をとらえた情報の提供等は殆どなされていないのが現状である。
【０００６】
即ち、端末保持者が自己の現在位置を知らない限り、自己の現在位置を情報検索の条件として入力することができないので、現在位置と密接した情報を得ることができないのである。移動体通信端末の現在位置に即した情報の提供システムとしては、移動体通信端末を用いたナビゲーションシステムが唯一あるぐらいである。
【０００７】
そこで本従来技術の地点情報提供システムは、移動体通信端末の保持者に対して、その移動体通信端末（保持者）の現在地点に即した地点情報を通信ネットワークを通じて提供することができる地点情報提供システムの提供を行うものである。
【０００８】
本地点情報提供システムは、通信ネットワークを利用した情報提供サービスであって、ＧＰＳを内蔵させた移動体通信端末を用い、顧客の移動体通信端末とサービス運営者のサーバとが移動体通信基地局、移動体通信網、固定電話網、インターネット等からなる通信網を通じて接続され、顧客側からの入力情報として、顧客によって選択された検索内容とそれに加えて顧客の移動体通信端末の現在地点を示す緯度、経度情報とをサービス運営者のサーバに入力するようにし、サービス運営者のサーバでは、前記顧客による検索内容と顧客の現在地点との２つの条件で検索を行い、顧客の現在地点に関係の深い情報を回答内容として抽出し、これを出力して顧客に提供するようにしたことを第１の特徴としている。
【０００９】
また本地点情報提供システムは、通信ネットワークを利用した情報提供サービスであって、顧客のＰＨＳとサービス運営者のサーバとがＰＨＳ基地局、ＰＨＳ電話網、固定電話網、インターネット等からなる通信網を通じて接続され、顧客側からの入力情報として、顧客によって選択された検索内容とそれに加えて顧客のＰＨＳの現在地点情報とをサービス運営者のサーバに入力するようにし、サービス運営者のサーバでは、前記顧客による検索内容と顧客の現在地点との２つの条件で検索を行い、顧客の現在地点に関係の深い情報を回答内容として抽出し、これを出力して顧客に提供するようにしたことを第２の特徴としている。
【００１０】
また本地点情報提供システムは、上記第１又は第２の特徴に加えて、顧客による検索内容はタクシー会社情報であり、サーバによる回答内容は顧客の現在位置に最寄りのタクシー会社数社の会社名、電話番号、その他そのタクシー会社に関する情報であることを第３の特徴としている。
【００１１】
また本地点情報提供システムは、上記第１又は第２の特徴に加えて、顧客による検索内容は駅情報であり、サーバによる回答内容は顧客の現在位置に最寄りの１乃至複数の駅の名前、電話番号、その他その駅に関する情報であることを第４の特徴としている。
【００１２】
また本地点情報提供システムは、上記第１又は第２の特徴に加えて、顧客による検索内容は病院情報であり、サーバによる回答内容は顧客の現在位置に最寄りの１乃至複数の病院の名前、電話番号、その他その病院に関する情報であることを第５の特徴としている。
【００１３】
また本地点情報提供システムは、上記第１又は第２の特徴に加えて、顧客による検索内容は宿泊施設であり、サーバによる回答内容は顧客の現在位置に最寄りの１乃至複数の宿泊施設の名前、電話番号、その他その宿泊施設に関する情報であることを第６の特徴としている。
【００１４】
また本地点情報提供システムは、上記第１又は第２の特徴に加えて、顧客による検索内容はレストランであり、サーバによる回答内容は顧客の現在位置に最寄りの１乃至複数のレストランの名前、電話番号その他そのレストランに関する情報であることを第７の特徴としている。
【００１５】
以下、本従来技術の地点情報提供システムを図面を参照しながら更に説明する。
【００１６】
図７は従来の地点情報提供システムのＧＰＳを内蔵させた移動体通信端末を利用したシステムを説明する図、図８は従来の地点情報提供システムのサーバでの処理の流れを説明するフローチャート、図９は従来の地点情報提供システムの他の形態としてＰＨＳを利用したシステムを説明する図である。
【００１７】
先ず図７を参照して、従来の地点情報提供システムは、人工衛星を利用したＧＰＳ（衛星航法システム）を内蔵させた移動体通信端末１０を用いる。このＧＰＳ内蔵の移動体通信端末１０は現時点に置いては未だ開発されていないが、将来において現実のものとなると考えられる。顧客の移動体通信端末１０とサービス運営者のサーバ２０とは、移動体通信基地局３１、移動体通信網３２、固定電話網３３、インターネット３４等の通信網３０を通じて接続される。
【００１８】
前記移動体通信端末１０は、いわゆる携帯電話、ＰＨＳ、その他の移動体通信端末を含む広い概念である。勿論、移動体通信端末１０は文字情報の表示部を有し、文字情報の送受信ができるものとする。移動体通信端末１０からサービス運営者のサーバ２０へのアクセスは、移動体通信端末１０の表示部に表示されたメニューを操作することで、サーバ２０が提供するホームページに接続することができる。
【００１９】
前記サーバ２０のホームページには、検索内容についてのメニューが表示されており、顧客はそのメニューの中から知りたい検索内容を選択する。そして併せて、顧客は自己の移動体通信端末１０を操作して、内蔵したＧＰＳ機能による自己の移動体通信端末１０の現在地点情報をサーバ２０に送る。前記移動体通信端末１０の現在地点情報は緯度と経度とからなる。
【００２０】
前記サーバ２０では、顧客によってメニューから検索内容が選択され、且つ顧客の移動体通信端末１０の現在地点情報を受け取ると、その２つの条件で検索を行い、回答内容を抽出する。即ち、検索内容に対して検出された情報の中から更に顧客の現在地点に関係の深い情報を抽出して回答内容とし、表示する。顧客は表示された回答内容から自己がいる現在地点に密接したローカルな情報を得ることができる。
【００２１】
前記現在地点情報は、これを顧客が知っている必要はない。即ち、顧客が現在地点である地名等を知っている必要はないのである。現在地点がどこであるかは、サーバ２０が移動体通信端末１０からの緯度、経度情報によって理解し、それに合ったローカル情報を提供するわけである。よって顧客がどこか知らない場所に来た場合において、その場所に有用な情報、例えば近くにあるタクシー会社の電話番号等、を手に入れることができるのである。従って本発明のシステムは、必要なデータの規模を考えると比較的ローカルな地域で機能するものであるが、地域毎にその地域に根ざした情報を蓄積することで、このシステムの利用効果は大きい。
【００２２】
図８のフローチャートに従って、本システムを顧客の現在地点に近い駅情報を提供する場合を説明する。今、顧客の移動体通信端末１０からサーバ２０のホームページにアクセスがある（ステップＳ１でイエス）と、サーバ２０は移動体通信端末１０に対して検索内容を示したメニューを送り、表示する（ステップＳ２）。顧客は表示された検索内容のメニューから、例えば駅の検索を選択し（ステップＳ３）、更に表示された操作説明等に従って移動体通信端末１０を操作し、ＧＰＳによる緯度、経度情報をサーバ２０に送信する（ステップＳ４）。サーバ２０は、前記ステップＳ３で駅の検索が選択され、ステップＳ４で顧客の緯度、経度情報が入力されると（ステップＳ３でイエス、ステップＳ４でイエス）、その緯度、経度情報から顧客の現在地点を解明し、その現在地点に近い１乃至複数の駅の駅名、住所、電話番号等の駅情報を抽出し、これを回答内容として表示する（移動体通信端末１０に送って表示する）（ステップＳ５）。顧客は移動体通信端末１０に送られてきて表示された回答内容を見て、自分のいる地点から近い駅名と駅住所、電話番号等を知ることができ、容易に最寄りの駅に行くことができる。
【００２３】
上記において、検索内容としては駅の他、タクシー会社、病院、レストラン、レンタカー会社、観光案内所、区役所、図書館等、種々の地域に密着した情報を採用することができる。
【００２４】
図９を参照して、ＰＨＳを利用した本システムを説明する。このシステムでは、移動体通信端末としてＰＨＳ４０を用いる。ＰＨＳはその基地局が比較的狭い地域をカバーする仕組みになっているので、ＰＨＳから発信される電波を受ける複数の基地局の受信強度によって、ＰＨＳが現在どのに地域に存在するかを判別することができる。顧客のＰＨＳ４０とサービス運営者のサーバ２０とは、ＰＨＳ基地局５１、ＰＨＳ電話網５２、固定電話網５３、インターネット５４等の通信網５０を通じて接続される。
【００２５】
前記ＰＨＳ４０は文字情報の表示部を有し、文字情報の送受信ができるものとする。ＰＨＳ４０からサービス運営者のサーバ２０へのアクセスは、ＰＨＳ４０の表示部に表示されたメニューを操作することで、サーバ２０が提供するホームページに接続することができる。前記サーバ２０のホームページには、検索内容についてのメニューが表示されており、顧客はそのメニューの中から知りたい検索内容を選択する。そして併せて、顧客は自己のＰＨＳ４０を操作することで、自己のＰＨＳ４０の現在地点情報をＰＨＳ基地局５１、ＰＨＳ電話網５２を通じて同様にサーバ２０に送る。前記サーバ２０では、顧客によりメニューから検索内容が選択され、顧客のＰＨＳ４０の現在地点情報を受け取ると、その２つの条件で検索を行い、回答内容を抽出し、表示する。顧客は表示された回答内容から自己がいる現在地点に密接したローカルな情報を得ることができる。
【００２６】
ＰＨＳを用いた本システムを顧客の現在地点に近いタクシー会社情報を提供する場合を説明する。今、顧客のＰＨＳ４０からサーバ２０のホームページにアクセスがなされると、サーバ２０はＰＨＳ４０に対して検索内容を示したメニューを送り表示する。顧客は表示された検索内容のメニューから、タクシー会社の検索を選択し、更に表示された操作説明等に従ってＰＨＳ４０を操作し、ＰＨＳ４０の現在地点情報をサーバ２０に送信する。サーバ２０は前記２つの検索条件から、その現在地点に近い１乃至複数のタクシー会社を抽出し、そのタクシー会社の会社名、住所、電話番号等のタクシー会社情報を抽出し、これを回答内容として、ＰＨＳ４０に送って表示する。顧客は送られてきて表示された回答内容を見て、自分のいる地点から近いタクシー会社の名前、電話番号等を知ることができ、容易に最寄りのタクシー会社にコンタクトし、タクシーを呼んだりすることができる。
【００２７】
本地点情報提供システムは以上の構成、作用よりなり、第１の特徴の地点情報提供システムによれば、通信ネットワークを利用した情報提供サービスであって、ＧＰＳを内蔵させた移動体通信端末を用い、顧客の移動体通信端末とサービス運営者のサーバとが移動体通信基地局、移動体通信網、固定電話網、インターネット等からなる通信網を通じて接続され、顧客側からの入力情報として、顧客によって選択された検索内容とそれに加えて顧客の移動体通信端末の現在地点を示す緯度、経度情報とをサービス運営者のサーバに入力するようにし、サービス運営者のサーバでは、前記顧客による検索内容と顧客の現在地点との２つの条件で検索を行い、顧客の現在地点に関係の深い情報を回答内容として抽出し、これを出力して顧客に提供するようにしたので、顧客はＧＰＳ内臓の移動体通信端末を用いることで、顧客自身が現在地点を認識しているか否かに関係なく、現在地点に関係の深い情報を容易に入手することが可能となり、その得た現在地点での情報をその場で即座的に利用することが可能となる。
【００２８】
また第２の特徴の地点情報提供システムによれば、通信ネットワークを利用した情報提供サービスであって、顧客のＰＨＳとサービス運営者のサーバとがＰＨＳ基地局、ＰＨＳ電話網、固定電話網、インターネット等からなる通信網を通じて接続され、顧客側からの入力情報として、顧客によって選択された検索内容とそれに加えて顧客のＰＨＳの現在地点情報とをサービス運営者のサーバに入力するようにし、サービス運営者のサーバでは、前記顧客による検索内容と顧客の現在地点との２つの条件で検索を行い、顧客の現在地点に関係の深い情報を回答内容として抽出し、これを出力して顧客に提供するようにしたので、顧客はＰＨＳを用いて、顧客自身が現在地点を認識しているか否かに関係なく、現在地点に関係の深い情報を容易に入手することが可能となり、その得た現在地点での情報をその場で即座に利用することが可能となる。
【００２９】
また第３の特徴の地点情報提供システムによれば、上記第１の特徴又は２に記載の構成による効果に加えて、顧客による検索内容はタクシー会社情報であり、サーバによる回答内容は顧客の現在位置に最寄りのタクシー会社数社の会社名、電話番号、その他そのタクシー会社に関する情報であるので、顧客は自己がいる現在地点の最寄りの１乃至複数のタクシー会社の会社名を知ることができ、即座にその現在地点からタクシー会社に電話をして、タクシーを呼ぶことが可能となる。
【００３０】
また第４の特徴の地点情報提供システムによれば、上記第１の特徴又は２に記載の構成による効果に加えて、顧客による検索内容は駅情報であり、サーバによる回答内容は顧客の現在位置に最寄りの１乃至複数の駅の名前、電話番号、その他その駅に関する情報であるので、顧客は現在地点に居ながらにして、最寄りの１乃至複数の駅の名前や電話番号等の情報を得ることができ、容易に好ましい近くの駅にたどり着くことができる。
【００３１】
また第５の特徴の地点情報提供システムによれば、上記第１の特徴又は２に記載の構成による効果に加えて、顧客による検索内容は病院情報であり、サーバによる回答内容は顧客の現在位置に最寄りの１乃至複数の病院の名前、電話番号、その他その病院に関する情報であるので、顧客は現在地点に居ながらにして、最寄りの１乃至複数の病院の情報を得ることができ、病院に電話し或いは病院に行くことができる。
【００３２】
また第６の特徴の地点情報提供システムによれば、上記第１の特徴又は２に記載の構成による効果に加えて、顧客による検索内容は宿泊施設であり、サーバによる回答内容は顧客の現在位置に最寄りの１乃至複数の宿泊施設の名前、電話番号、その他その宿泊施設に関する情報であるので、顧客は現在地点に居ながらにして、最寄りの１乃至複数の宿泊施設の情報を得ることができ、その宿泊施設にコンタクトすることができる。
【００３３】
また第７の特徴の地点情報提供システムによれば、上記第１の特徴又は２に記載の構成による効果に加えて、顧客による検索内容はレストランであり、サーバによる回答内容は顧客の現在位置に最寄りの１乃至複数のレストランの名前、電話番号、その他そのレストランに関する情報であるので、顧客は現在地点に居ながらにして、最寄りの１乃至複数のレストランの情報を得ることができ、容易に情報を得た近くのレストランに行ったりすることができる。
【００３４】
【発明が解決しようとする課題】
上述した従来の地点情報提供システムは、
第１の問題点は、サービス提供機関が予め保有している顧客が位置している地点情報を顧客へ提供するのみであり、第３者が特定エリアに位置し、かつ特定の要件を満たす顧客から情報提供を受ることができない。
【００３５】
その理由は、サービス提供機関が予め保有している顧客が位置している地点情報を顧客に提供するサービスだからである。
【００３６】
本発明の目的は、情報提供を依頼する依頼機関が情報提供者を管理するサービス提供機関に対し、特定エリアにおける情報提供サービスを依頼することにより、サービス提供機関に登録されている情報提供者の属性から特定の要件を満たす情報提供者を抽出し、かつ携帯電話の位置情報により、依頼機関の要件を満たす特定の情報提供者に情報提供を依頼し、情報提供の依頼を受信した情報提供者がＧＰＳ機能付き携帯を利用した正確な位置情報を付与した情報を提供することにより、サービス提供機関は依頼機関に対し、正確な位置に基づく情報を提供できる位置情報を利用し特定エリアの情報を提供するシステムと方法を提供することにある。
【００３７】
【課題を解決するための手段】
第１の発明の位置情報を利用し特定エリアの情報を提供するシステムは、携帯電話の位置情報を利用し、特定エリアに位置する特定の要件を満たす情報提供者に情報提供を依頼し、情報提供者はＧＰＳ機能付きの携帯電話より位置情報を付与した情報を送信する。
【００３８】
また、第２の発明の位置情報を利用し特定エリアの情報を提供する方法は、携帯電話の位置情報を利用し、特定エリアに位置する特定の要件を満たす情報提供者に情報提供を依頼し、情報提供者はＧＰＳ機能付きの携帯電話より位置情報を付与した情報を送信する。
【００３９】
また、第３の発明のプログラムは、携帯電話の位置情報を利用し、特定エリアに位置する特定の要件を満たす情報提供者に情報提供を依頼し、情報提供者はＧＰＳ機能付きの携帯電話より位置情報を付与した情報を送信する処理をコンピュータに実行させる。
【００４０】
また、第４の発明の位置情報を利用し特定エリアの情報を提供するシステムは、情報提供を依頼する依頼機関が情報提供者を管理するサービス提供機関に対し、特定エリアにおける情報提供サービスを依頼することにより、サービス提供機関に登録されている情報提供者の属性から特定の要件を満たす情報提供者を抽出し、ＧＰＳ機能付き携帯電話の位置情報により、依頼機関の要件を満たす特定の情報提供者に情報提供を依頼し、情報提供の依頼を受信した情報提供者がＧＰＳ機能付き携帯を利用した位置情報を付与した情報を提供することにより、サービス提供機関は依頼機関に対し、位置に基づく情報を提供する。
【００４１】
また、第５の発明の位置情報を利用し特定エリアの情報を提供する方法は、情報提供を依頼する依頼機関が情報提供者を管理するサービス提供機関に対し、特定エリアにおける情報提供サービスを依頼することにより、サービス提供機関に登録されている情報提供者の属性から特定の要件を満たす情報提供者を抽出し、ＧＰＳ機能付き携帯電話の位置情報により、依頼機関の要件を満たす特定の情報提供者に情報提供を依頼し、情報提供の依頼を受信した情報提供者がＧＰＳ機能付き携帯を利用した位置情報を付与した情報を提供することにより、サービス提供機関は依頼機関に対し、位置に基づく情報を提供する。
【００４２】
また、第６の発明のプログラムは、情報提供を依頼する依頼機関が情報提供者を管理するサービス提供機関に対し、特定エリアにおける情報提供サービスを依頼することにより、サービス提供機関に登録されている情報提供者の属性から特定の要件を満たす情報提供者を抽出し、ＧＰＳ機能付き携帯電話の位置情報により、依頼機関の要件を満たす特定の情報提供者に情報提供を依頼し、情報提供の依頼を受信した情報提供者がＧＰＳ機能付き携帯を利用した位置情報を付与した情報を提供することにより、サービス提供機関は依頼機関に対し、位置に基づく情報を提供することを特徴とする位置情報を利用し特定エリアの情報を提供する処理をコンピュータに実行させる。
【００４３】
また、第７の発明の位置情報を利用し特定エリアの情報を提供するシステムは、依頼機関は特定の位置および属性により情報提供者に情報提供を依頼し、サービス提供機関は、情報提供者を管理するデータベースに情報提供者の属性情報を予め登録し、依頼機関からの要求を満たす情報提供者を抽出し、ＧＰＳ機能付き携帯電話の位置情報により、依頼機関が要求したエリアに存在する情報提供者を抽出し、前記２つの要求を満たし抽出された情報提供者に対し、依頼機関が指定する情報提供の依頼を情報提供者のＧＰＳ機能付き携帯電話に配信し、情報提供者がＧＰＳ機能付きＧＰＳ機能付き携帯電話により、情報提供者が存在する位置情報を付与した情報をサービス提供機関に提供し、依頼機関がサービス提供機関から提供された情報を取得する。
【００４４】
また、第８の発明の位置情報を利用し特定エリアの情報を提供する方法は、依頼機関は特定の位置および属性により情報提供者に情報提供を依頼し、サービス提供機関は、情報提供者を管理するデータベースに情報提供者の属性情報を予め登録し、依頼機関からの要求を満たす情報提供者を抽出し、ＧＰＳ機能付き携帯電話の位置情報により、依頼機関が要求したエリアに存在する情報提供者を抽出し、前記２つの要求を満たし抽出された情報提供者に対し、依頼機関が指定する情報提供の依頼を情報提供者のＧＰＳ機能付き携帯電話に配信し、情報提供者がＧＰＳ機能付きＧＰＳ機能付き携帯電話により、情報提供者が存在する位置情報を付与した情報をサービス提供機関に提供し、依頼機関がサービス提供機関から提供された情報を取得する。
【００４５】
また、第９の発明のプログラムは、依頼機関は特定の位置および属性により情報提供者に情報提供を依頼し、サービス提供機関は、情報提供者を管理するデータベースに情報提供者の属性情報を予め登録し、依頼機関からの要求を満たす情報提供者を抽出し、ＧＰＳ機能付き携帯電話の位置情報により、依頼機関が要求したエリアに存在する情報提供者を抽出し、前記２つの要求を満たし抽出された情報提供者に対し、依頼機関が指定する情報提供の依頼を情報提供者のＧＰＳ機能付き携帯電話に配信し、情報提供者がＧＰＳ機能付きＧＰＳ機能付き携帯電話により、情報提供者が存在する位置情報を付与した情報をサービス提供機関に提供し、依頼機関がサービス提供機関から提供された情報を取得する処理をコンピュータに実行させる。
【００４６】
また、第１０の発明の位置情報を利用し特定エリアの情報を提供するシステムは、サービス提供機関の管理するデータベースに、情報提供者は、基地局を経てインターネットを介して、情報提供者情報を登録し、依頼機関は、インターネットを介して、サービス提供機関に、情報提供者の属性、エリア及び情報提供内容を指定した情報提供要求を行い、サービス提供機関の配信サーバは、依頼機関からの情報提供要求に対し、位置情報およびデータベースより、指定された条件を満たす情報提供者に対し情報提供要求を配信するために、インターネットを介し基地局に、情報提供内容を付加した情報提供要求を送り、基地局の位置情報サーバが位置情報と情報提供者の電話番号の一致する情報提供者のＧＰＳ機能付き携帯電話に情報提供要求を配信し、情報提供者は、サービス提供機関からの情報提供要求に対し、ＧＰＳ機能付き携帯電話の機能により、位置情報を付与し、依頼された情報提供内容を、基地局を経てインターネットを介して、サービス提供機関に配信し、サービス提供機関は、インターネットを介して、情報提供者より送信された情報を依頼機関に提供する。
【００４７】
また、第１１の発明の位置情報を利用し特定エリアの情報を提供する方法は、サービス提供機関の管理するデータベースに、情報提供者は、基地局を経てインターネットを介して、情報提供者情報を登録し、依頼機関は、インターネットを介して、サービス提供機関に、情報提供者の属性、エリア及び情報提供内容を指定した情報提供要求を行い、サービス提供機関の配信サーバは、依頼機関からの情報提供要求に対し、位置情報およびデータベースより、指定された条件を満たす情報提供者に対し情報提供要求を配信するために、インターネットを介し基地局に、情報提供内容を付加した情報提供要求を送り、基地局の位置情報サーバが位置情報と情報提供者の電話番号の一致する情報提供者のＧＰＳ機能付き携帯電話に情報提供要求を配信し、情報提供者は、サービス提供機関からの情報提供要求に対し、ＧＰＳ機能付き携帯電話の機能により、位置情報を付与し、依頼された情報提供内容を、基地局を経てインターネットを介して、サービス提供機関に配信し、サービス提供機関は、インターネットを介して、情報提供者より送信された情報を依頼機関に提供する。
【００４８】
また、第１２の発明のプログラムは、サービス提供機関の管理するデータベースに、情報提供者は、基地局を経てインターネットを介して、情報提供者情報を登録し、依頼機関は、インターネットを介して、サービス提供機関に、情報提供者の属性、エリア及び情報提供内容を指定した情報提供要求を行い、サービス提供機関の配信サーバは、依頼機関からの情報提供要求に対し、位置情報およびデータベースより、指定された条件を満たす情報提供者に対し情報提供要求を配信するために、インターネットを介し基地局に、情報提供内容を付加した情報提供要求を送り、基地局の位置情報サーバが位置情報と情報提供者の電話番号の一致する情報提供者のＧＰＳ機能付き携帯電話に情報提供要求を配信し、情報提供者は、サービス提供機関からの情報提供要求に対し、ＧＰＳ機能付き携帯電話の機能により、位置情報を付与し、依頼された情報提供内容を、基地局を経てインターネットを介して、サービス提供機関に配信し、サービス提供機関は、インターネットを介して、情報提供者より送信された情報を依頼機関に提供する処理をコンピュータに実行させる。
【００４９】
また、第１３の発明の位置情報を利用し特定エリアの情報を提供するシステムは、サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバよりインターネットを通じて基地局の交換局に送信し、基地局では、これを受信後、位置情報サーバが位置情報と情報提供者の電話番号の一致する情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をデータベースに格納し、依頼機関は、サービス提供機関の情報サービスサイトより送信された情報を入手する。
【００５０】
また、第１４の発明の位置情報を利用し特定エリアの情報を提供する方法は、サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバよりインターネットを通じて基地局の交換局に送信し、基地局では、これを受信後、位置情報サーバが位置情報と情報提供者の電話番号の一致する情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をデータベースに格納し、依頼機関は、サービス提供機関の情報サービスサイトより送信された情報を入手する。
【００５１】
また、第１５の発明のプログラムは、サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバよりインターネットを通じて基地局の交換局に送信し、基地局では、これを受信後、位置情報サーバが位置情報と情報提供者の電話番号の一致する情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をデータベースに格納し、依頼機関は、サービス提供機関の情報サービスサイトより送信された情報を入手する処理をコンピュータに実行させる。
【００５２】
また、第１６の発明の位置情報を利用し特定エリアの情報を提供するシステムは、サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバよりインターネットを通じて基地局の交換局に送信し、基地局では、これを受信後、位置情報サーバが位置情報と情報提供者の電話番号の一致する情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をサービス提供機関内で収集したデータを加工し、統計的に分析した情報をデータベースに格納し、依頼機関は、サービス提供機関の情報サービスサイトより統計的に分析された情報を入手する。
【００５３】
また、第１７の発明の位置情報を利用し特定エリアの情報を提供する方法は、サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバよりインターネットを通じて基地局の交換局に送信し、基地局では、これを受信後、位置情報サーバが位置情報と情報提供者の電話番号の一致する情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をサービス提供機関内で収集したデータを加工し、統計的に分析した情報をデータベースに格納し、依頼機関は、サービス提供機関の情報サービスサイトより統計的に分析された情報を入手する。
【００５４】
また、第１８の発明のプログラムは、サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバよりインターネットを通じて基地局の交換局に送信し、基地局では、これを受信後、位置情報サーバが位置情報と情報提供者の電話番号の一致する情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をサービス提供機関内で収集したデータを加工し、統計的に分析した情報をデータベースに格納し、依頼機関は、サービス提供機関の情報サービスサイトより統計的に分析された情報を入手する処理をコンピュータに実行させる。
【００５５】
また、第１９の発明の位置情報を利用し特定エリアの情報を提供するシステムは、サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をデータベースに格納し、依頼機関は、サービス提供機関の情報サービスサイトより送信された情報を入手する。
【００５６】
また、第２０の発明の位置情報を利用し特定エリアの情報を提供する方法は、サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をデータベースに格納し、依頼機関は、サービス提供機関の情報サービスサイトより送信された情報を入手する。
【００５７】
また、第２１の発明のプログラムは、サービス提供機関は、電子メールで、情報提供者を募集し、情報提供者は、サービス提供機関の指定する方法により、電子メール、で、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をデータベースに格納し、依頼機関は、サービス提供機関の情報サービスサイトより送信された情報を入手する処理をコンピュータに実行させる。
【００５８】
また、第２２の発明の位置情報を利用し特定エリアの情報を提供するシステムは、サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をサービス提供機関内で収集したデータを加工し、統計的に分析した情報をデータベースに格納し、依頼機関は、サービス提供機関の情報サービスサイトより統計的に分析された情報を入手する。
【００５９】
また、第２３の発明の位置情報を利用し特定エリアの情報を提供する方法は、サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をサービス提供機関内で収集したデータを加工し、統計的に分析した情報をデータベースに格納し、依頼機関は、サービス提供機関の情報サービスサイトより統計的に分析された情報を入手する。
【００６０】
また、第２４の発明のプログラムは、サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、情報提供者が受信する情報提供要求の内容には、サービス提供機関の情報サービスサイトのＵＲＬが指定され、情報提供者は、情報サービスサイトにアクセスし、依頼された情報内容を入力し、情報サービスサイトでは、依頼機関の要求単位で、情報サービスサイトに専用の待ち受け画面を構築し、依頼機関のニーズにあった情報を情報提供者に入力促進させ、ＧＰＳ機能付きの携帯電話をもつ情報提供者は、ＧＰＳ機能から取得する位置情報を入力し、サービス提供機関は、情報提供者より送信された情報をサービス提供機関内で収集したデータを加工し、統計的に分析した情報をデータベースに格納し、依頼機関は、サービス提供機関の情報サービスサイトより統計的に分析された情報を入手する処理をコンピュータに実行させる。
【００６１】
また、第２５の発明の位置情報を利用し特定エリアの情報を提供するシステムは、サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をデータベースに格納し、依頼機関は、サービス提供機関の情報サービスサイトより送信された情報を入手する。
【００６２】
また、第２６の発明の位置情報を利用し特定エリアの情報を提供する方法は、サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をデータベースに格納し、依頼機関は、サービス提供機関の情報サービスサイトより送信された情報を入手する。
【００６３】
また、第２７の発明のプログラムは、サービス提供機関は、電子メールで、情報提供者を募集し、情報提供者は、サービス提供機関の指定する方法により、電子メール、で、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をデータベースに格納し、依頼機関は、サービス提供機関の情報サービスサイトより送信された情報を入手する処理をコンピュータに実行させる。
【００６４】
また、第２８の発明の位置情報を利用し特定エリアの情報を提供するシステムは、サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をサービス提供機関内で収集したデータを加工し、統計的に分析した情報をデータベースに格納し、依頼機関は、サービス提供機関の情報サービスサイトより統計的に分析された情報を入手する。
【００６５】
また、第２９の発明の位置情報を利用し特定エリアの情報を提供する方法は、サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をサービス提供機関内で収集したデータを加工し、統計的に分析した情報をデータベースに格納し、依頼機関は、サービス提供機関の情報サービスサイトより統計的に分析された情報を入手する。
【００６６】
また、第３０の発明のプログラムは、サービス提供機関は、電子メールで、情報提供者を募集し、情報提供者は、サービス提供機関の指定する方法により、電子メールで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をサービス提供機関内で収集したデータを加工し、統計的に分析した情報をデータベースに格納し、依頼機関は、サービス提供機関の情報サービスサイトより統計的に分析された情報を入手する処理をコンピュータに実行させる。
【００６７】
また、第３１の発明の位置情報を利用し特定エリアの情報を提供するシステムは、サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をデータベースに格納し、依頼機関は、サービス提供機関の情報サービスサイトより送信された情報を入手する。
【００６８】
また、第３２の発明の位置情報を利用し特定エリアの情報を提供する方法は、サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をデータベースに格納し、依頼機関は、サービス提供機関の情報サービスサイトより送信された情報を入手する。
【００６９】
また、第３３の発明のプログラムは、サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をデータベースに格納し、依頼機関は、サービス提供機関の情報サービスサイトより送信された情報を入手する処理をコンピュータに実行させる。
【００７０】
また、第３４の発明の位置情報を利用し特定エリアの情報を提供するシステムは、サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をサービス提供機関内で収集したデータを加工し、統計的に分析した情報をデータベースに格納し、依頼機関は、サービス提供機関の情報サービスサイトより統計的に分析された情報を入手する。
【００７１】
また、第３５の発明の位置情報を利用し特定エリアの情報を提供する方法は、サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をサービス提供機関内で収集したデータを加工し、統計的に分析した情報をデータベースに格納し、依頼機関は、サービス提供機関の情報サービスサイトより統計的に分析された情報を入手する。
【００７２】
また、第３６の発明のプログラムは、サービス提供機関は、インターネットで、情報提供者を募集し、情報提供者は、サービス提供機関の指定する方法により、インターネットで、サービス提供機関に情報提供者としてのサービス提供機関が要求した性別、年齢、住所、趣味・嗜好の属性情報を送信し、サービス提供機関が受け取った情報提供者情報を、サービス提供機関にあるデータベースに登録し、サービス提供機関がインターネットで公開する情報サービスのサイトで、情報提供者の統計情報を公開し、依頼機関は、これを参照、あるいは要求したい情報の内容をリサーチする要件を満たす条件を入力し統計情報の絞込みを行い検証し、情報サービスサイトでは、依頼機関が特定の条件、エリアを指定し、情報提供者に要求する情報内容を入力し、サービス提供機関は、入力された情報をデータベースに登録し依頼機関の指定する情報配信の期間完了まで保存し、依頼機関が指定する情報配信の時点で、サービス提供機関は情報提供要求の配信サービスを開始し、サービス提供機関は、データベースより、依頼機関がサービス提供機関の情報サービスサイトで入力した要件を満たす情報提供者のＧＰＳ機能付き携帯電話の電話番号および指定エリアと情報の提供内容を抽出し、配信サーバより電子メールにより情報提供者のＧＰＳ機能付き携帯電話に情報提供要求を配信し、ＧＰＳ機能付きの携帯電話をもつ情報提供者は、ＧＰＳ機能から取得する位置情報を情報提供要求された情報に付加し、電子メールにてサービス提供機関に送信し、サービス提供機関は、情報提供者より電子メールで送信された情報をサービス提供機関内で収集したデータを加工し、統計的に分析した情報をデータベースに格納し、依頼機関は、サービス提供機関の情報サービスサイトより統計的に分析された情報を入手する処理をコンピュータに実行させる。
【００７３】
【発明の実施の形態】
次に、本発明の実施の形態について図面を参照して説明する。
【００７４】
図１は本発明の位置情報を利用し特定エリアの情報を提供するシステムと方法の一実施の形態を示す構成図である。
【００７５】
図１を参照すると、実施の形態は以下の手順となる。
【００７６】
▲１▼サービス提供機関３０の管理するデータベース３１に、情報提供者１０は基地局２０の交換局２２を経てインターネット５０を介して、情報提供者１０を登録し、その属性を登録する。
【００７７】
▲２▼依頼機関４０は、インターネット５０を介して、サービス提供機関３０に、情報提供者１０の属性、エリア及び情報提供内容を指定した情報提供要求を行う。
【００７８】
▲３▼サービス提供機関３０の配信サーバ３２は、依頼機関４０からの情報提供要求に対し、位置情報およびデータベース３１より、指定された条件を満たす情報提供者１０に対し情報提供要求を配信するために、インターネット５０を介し基地局２０の交換局２２を経て、情報提供内容を付加した情報提供要求を送り、基地局の位置情報サーバ２１が位置情報と情報提供者１０の電話番号の一致する情報提供者１０のＧＰＳ機能付き携帯電話１１に情報提供要求を配信する。
【００７９】
▲４▼情報提供者１０は、サービス提供機関３０からの情報提供要求に対し、ＧＰＳ機能付き携帯電話１１の機能により、正確な位置情報を付与し、かつ依頼された情報提供内容を、基地局２０を経てインターネット５０を介して、サービス提供機関３０に配信する。
【００８０】
▲５▼サービス提供機関３０は、インターネット５０を介して、情報提供者１０より送信された情報を依頼機関４０に提供する。
【００８１】
次に、本発明の実施の形態の動作について、図２，図３，図４，図５，および図６を参照して詳細に説明する。
【００８２】
第一は、サービス提供機関３０の管理するデータベース３１に情報提供者１０を登録し、その属性を登録する方法である。
【００８３】
図２は本発明の位置情報を利用し特定エリアの情報を提供するシステムと方法の情報提供者の情報をサービス提供機関のデータベースに登録する動作を示す流れ図である。　サービス提供機関３０は、インターネット５０、電子メール、ダイレクトメール（ＤＭ）等の手段で、情報提供者１０を募集し、これを参照した情報提供者１０は、サービス提供機関３０の指定する方法により、インターネット５０、電子メール、ダイレクトメール（ＤＭ）等の手段で、サービス提供機関３０に情報提供者１０としての情報を送信する。この際、サービス提供機関３０は、性別、年齢、住所、趣味・嗜好等の属性情報を情報提供者１０に要求し、情報提供者１０はこれらの属性情報も送信する。
【００８４】
サービス提供機関３０が受け取った情報提供者１０情報を、自動あるいは手動でサービス提供機関３０にあるデータベース３１に登録する。
【００８５】
第二は、情報提供サービスの依頼機関４０が、情報提供者１０の属性データを指定し、エリアおよび、情報提供の内容を指定する。
【００８６】
図３は本発明の位置情報を利用し特定エリアの情報を提供するシステムと方法の依頼機関により情報提供者の属性を指定し、エリアおよび情報内容を指定する動作を示す流れ図である。
【００８７】
サービス提供機関３０がインターネット５０等で公開する情報サービスのサイトでは、情報提供者１０の統計情報を公開し、依頼機関４０は、これを参照、あるいは要求したい情報の内容をリサーチする要件を満たす条件を入力し統計情報の絞込みを行い検証する。
【００８８】
また、情報サービスサイトでは、依頼機関４０が特定の条件、エリアを指定し、情報提供者１０に要求する情報内容を入力する。サービス提供機関３０は、入力された情報をデータベース３１に登録し依頼機関４０の指定する情報配信の期間完了まで保存する。
【００８９】
第三は、サービス提供機関３０より、データベース３１より、特定の情報提供者１０を検索し、位置情報を取得した上で、特定の情報提供者１０に対し、情報提供要求を配信する。
【００９０】
図４は本発明の位置情報を利用し特定エリアの情報を提供するシステムと方法のサービス提供機関から情報提供者へ情報要求を配信する動作を示す流れ図である。
【００９１】
依頼機関４０が指定する情報配信の時点で、サービス提供機関３０は情報提供要求の配信サービスを開始する。サービス提供機関３０は、データベース３１より、依頼機関４０がサービス提供機関３０の情報サービスサイトで入力した要件を満たす情報提供者１０のＧＰＳ機能付き携帯電話１１の電話番号および指定エリアと情報の提供内容を抽出し、配信サーバ３２よりインターネット５０を通じて基地局２０の交換局２２に送信する。
【００９２】
基地局２０では、これを受信後、位置情報サーバ２１が位置情報と情報提供者１０の電話番号の一致する情報提供者１０のＧＰＳ機能付き携帯電話１１に情報提供要求を配信する。
【００９３】
第四は、サービス提供機関３０からの情報提供要求を受信した情報提供者１０が、ＧＰＳ機能付き携帯電話１１を使用し、サービス提供機関３０に正確な位置情報を付与した情報を送信する。
【００９４】
図５は本発明の位置情報を利用し特定エリアの情報を提供するシステムと方法の情報提供者が正確な位置情報を付与した情報を送信する動作を示す流れ図である。
【００９５】
情報提供者１０が受信する情報提供要求の内容には、サービス提供機関３０の情報サービスサイトのＵＲＬが指定されている。情報提供者１０は、情報サービスサイトにアクセスし、依頼された情報内容を入力する。
【００９６】
情報サービスサイトでは、依頼機関４０の要求単位で、情報サービスサイトに専用の待ち受け画面を構築し、依頼機関４０のニーズにあった情報を情報提供者１０に入力促進する。この際、ＧＰＳ機能付きの携帯電話１１をもつ情報提供者１０は、ＧＰＳ機能から取得する位置情報を自動付与、あるいは手動による入力を行う。
【００９７】
第五は、サービス提供機関３０は、情報提供者１０より送信された情報を依頼機関４０に提供する。
【００９８】
図６は本発明の位置情報を利用し特定エリアの情報を提供するシステムと方法の情報提供者から受信した情報をサービス提供機関が依頼機関に提供する動作を示す流れ図である。
【００９９】
サービス提供機関３０は、情報提供者１０より送信された情報をデータベース３１に格納し、依頼機関４０は、サービス提供機関３０の情報サービスサイトより、参照およびダウンロードで入手できる。
【０１００】
サービス提供機関３０の付帯サービスとして、データウェアハウスを用いて、依頼機関４０のニーズにあった情報として、サービス提供機関３０内で収集したデータを加工し、統計的に分析した情報を依頼機関４０に提供することも可能である。
【０１０１】
次に、本発明の第２の実施の形態について、図５を参照して詳細に説明する。
【０１０２】
前記の実施の形態の中で、図５のように情報提供者１０が情報入力を行う手段は情報サービス機関３０の情報サービスサイトを利用しているが、電子メールを利用する手段もある。サービス提供機関３０は、依頼機関４０からの情報提供要求を電子メールにより、情報提供者１０に配信する。情報提供者１０は、受信した電子メールに必要事項を記述し、サービス提供機関３０に返信する。この際、位置情報を付与して送信する。
【０１０３】
さらに別の実施の形態として、サービス提供機関３０は、依頼機関４０からの情報提供要求を電子メールにより、情報提供者１０に配信し、情報提供者１０は、インターネット５０を介し、サービス提供機関３０に情報を提供する。
【０１０４】
また、サービス提供機関３０は、依頼機関４０からの情報提供要求をインターネット５０を介し、情報提供者１０に配信し、情報提供者１０は、電子メールにて、サービス提供機関３０に情報を提供する形態もある。
【０１０５】
【発明の効果】
以上説明したように、本発明の位置情報を利用し特定エリアの情報を提供するシステムと方法は、
第１の効果は、特定エリアに存在する特定要件を満たす情報提供者の情報を収集し、統計的に分析することでエリアマーケティング分析を行うことが可能となる。
【０１０６】
その理由は、特定地域おける情報提供者の情報を収集できるためである。
【０１０７】
第２の効果は、特定エリア位置情報を必要とする製品のモニタリング調査を行う際に、情報提供者の正確な位置情報を取得することで、より正確な情報を収集することが可能になる。
【０１０８】
その理由は、特定地域おける情報提供者の正確な位置情報に基づいた情報を収集できるためである。
【図面の簡単な説明】
【図１】本発明の位置情報を利用し特定エリアの情報を提供するシステムと方法の一実施の形態を示す構成図である。
【図２】本発明の位置情報を利用し特定エリアの情報を提供するシステムと方法の情報提供者の情報をサービス提供機関のデータベースに登録する動作を示す流れ図である。
【図３】本発明の位置情報を利用し特定エリアの情報を提供するシステムと方法の依頼機関により情報提供者の属性を指定し、エリアおよび情報内容を指定する動作を示す流れ図である。
【図４】本発明の位置情報を利用し特定エリアの情報を提供するシステムと方法のサービス提供機関から情報提供者へ情報要求を配信する動作を示す流れ図である。
【図５】本発明の位置情報を利用し特定エリアの情報を提供するシステムと方法の情報提供者が正確な位置情報を付与した情報を送信する動作を示す流れ図である。
【図６】本発明の位置情報を利用し特定エリアの情報を提供するシステムと方法の情報提供者から受信した情報をサービス提供機関が依頼機関に提供する動作を示す流れ図である。
【図７】従来の地点情報提供システムのＧＰＳを内蔵させた移動体通信端末を利用したシステムを説明する図である。
【図８】従来の地点情報提供システムのサーバでの処理の流れを説明するフローチャートある。
【図９】従来の地点情報提供システムの他の形態としてＰＨＳを利用したシステムを説明する図である。
【符号の説明】
１０　　情報提供者
１１　　ＧＰＳ機能付き携帯電話
２０　　基地局
２１　　位置情報サーバ
２２　　交換局
３０　　サービス提供機関
３１　　データベース
３２　　配信サーバ
４０　　依頼機関
５０　　インターネット
【図１】
2004064264.tif 000003
【図２】
2004064264.tif 000004
【図３】
2004064264.tif 000005
【図４】
2004064264.tif 000006
【図５】
2004064264.tif 000007
【図６】
2004064264.tif 000008
【図７】
2004064264.tif 000009
【図８】
2004064264.tif 000010
【図９】
2004064264.tif 000011